(57)【要約】【課題】消費電力を低減可能でかつ、簡単な構成でリニアソレノイドバルブのスプールの位置をロック可能なリニアソレノイドバルブを提供する。【解決手段】リニアソレノイドバルブ１１は、プランジャ１５を非ロック時に駆動する第１制御領域よりも第１方向側の第２制御領域まで駆動させて、スプール２１の突出部３１をソレノイド部側からバルブ部側へと移動させると、第１爪部３２１と突出部３１のバルブ部側の端面２１５との当接によりスプール２１の第２方向への移動を規制することができる。このため、第１爪部３２１と突出部３１のバルブ部側の端面２１５との引っ掛りと、スプリング２４からの第２方向への付勢力とによって、ソレノイド部１０に電流を供給せずともスプール２１を軸方向所定の位置にロックすることが可能となる。【選択図】図２
2014199098.tif 000002
【特許請求の範囲】
【請求項１】
供給される電力に応じてプランジャを駆動するソレノイド部と、
入力ポート、出力ポート及び排出ポートが形成されたスリーブに嵌挿されると共に前記プランジャの駆動によって第１方向に押圧されるスプールと、このスプールを前記第１方向とは反対の第２方向に向かって付勢する付勢部材とを有し、前記スプールの移動によって各ポートの開口量を調節可能なバルブ部と、
前記スプールの位置をロック可能なロック機構と、を備え、
前記ロック機構は、
前記スプールから径方向外側に突出した突出部と、
先端が径方向内側に屈曲して形成されると共に、前記プランジャが非ロック時に駆動する第１制御領域よりも前記第１方向側の第２制御領域まで駆動された際に径方向外側に開かれて、前記スプールの前記第１方向への移動を許容すると共に、閉じられた際に前記突出部の前記バルブ部側の端面に当接して前記スプールの前記第２方向への移動を規制する第１爪部と、
前記プランジャが前記第２制御領域よりも前記第１方向側の第３制御領域まで駆動されることによって、前記第１爪部と前記突出部の前記バルブ部側の端面との当接が解除されるように前記第１爪部を径方向外側に開いた状態にし、前記第１爪部と前記突出部の前記バルブ部側の端面との当接が解除された状態を、前記付勢部材の付勢力により前記スプールが非ロック時の移動範囲内に戻るまで保持する解除機構と、を備えた、
ことを特徴とするリニアソレノイドバルブ。
【請求項２】
前記解除機構は、
前記第１爪部に対して軸方向位置が異なるように固定されると共に、先端が径方向内側に屈曲して形成された第２爪部と、
前記プランジャと前記スプールとの間に配設され、これらプランジャ及びスプールの端面と当接して軸方向に移動可能な軸部材に摺動可能に設けられ、前記プランジャが前記第３制御領域まで駆動されることにより前記第２爪部と係合して前記第１爪部を径方向外側に開いた状態に保持し、この状態で前記軸部材と摺動することで前記付勢部材の付勢力により前記スプールを前記第２方向側に移動可能にし、前記非ロック時の移動範囲内に前記スプールが入ると前記軸部材と一体に移動して前記第２爪部との係合が解除される摺動部材と、を有する、
請求項１記載のリニアソレノイドバルブ。
【請求項３】
前記突出部は、前記スプールの前記ソレノイド部側の端部に形成され、前記第２方向に向かって径が大きくなるように傾斜したテーパ面と、前記スプールの前記ソレノイド部側の端面とを有し、
前記第１爪部は、閉じられた際に、このスプールの前記ソレノイド部側の端面と当接する、
請求項１又は２記載のリニアソレノイドバルブ。
【発明の詳細な説明】
【技術分野】
【０００１】
本発明は、スプールの移動によりポートの開口量を調整可能なリニアソレノイドバルブに関する。
【背景技術】
【０００２】
一般に、コイルへの通電に伴って形成される磁気回路を流れる磁束によりプランジャを固定鉄心に吸引して駆動可能であると共に、このプランジャの駆動により一方向に付勢されたスプールの軸方向位置を移動させてポートを開閉可能なリニアソレノイドバルブが知られている。従来、このようなリニアソレノイドバルブにおいて、定常状態でスプールを固定する際の電力消費を抑えるために、上記固定鉄心としての第１コアに永久磁石を配設することが案出されている（特許文献１参照）。
【０００３】
この特許文献１記載のリニアソレノイドバルブでは、第１コアに永久磁石が設けられているため、プランジャと第１コアとの間隔が所定距離以内になると、永久磁石の磁力によりプランジャと第１コアとが吸着されるため、コイルに通電しなくともスプールの位置をロック可能になっている。また、この永久磁石によるスプール位置のロックは、コイルに流れる電流の方向を反転させてプランジャと第１コアとの間に反発力を生じさせることによって解除可能となっている。
【先行技術文献】
【特許文献】
【０００４】
【特許文献１】特開２００９―２３６３０８号公報
【発明の概要】
【発明が解決しようとする課題】
【０００５】
このように、特許文献１記載のリニアソレノイドバルブでは、コイルに通電しなくとも永久磁石の磁力によりスプールの位置をロックすることができるため、使用する消費電力を低減することができる。しかしながら、永久磁石によるプランジャと第１コアとの吸着を解除してスプールの移動を再開するためには、電流の方向を反転させるためにスイッチング回路などを設ける必要がある。
【０００６】
そこで本発明は、消費電力を低減可能でかつ、簡単な構成でリニアソレノイドバルブのスプールの位置をロック可能なリニアソレノイドバルブを提供することを目的とする。
【課題を解決するための手段】
【０００７】
本発明に係るリニアソレノイドバルブ（１１、１２）は、供給される電力に応じてプランジャ（１５）を駆動するソレノイド部（１０）と、
入力ポート（Ｐｉｎ）、出力ポート（Ｐｏｕｔ）及び排出ポート（Ｐｅｘ）が形成されたスリーブ（２２）に嵌挿されると共に前記プランジャ（１５）の駆動によって第１方向に押圧されるスプール（２１）と、このスプール（２１）を前記第１方向とは反対の第２方向に向かって付勢する付勢部材（２４）とを有し、前記スプール（２１）の移動によって各ポートの開口量を調節可能なバルブ部（２０１，２０２）と、
前記スプール（２１）の位置をロック可能なロック機構（３０）と、を備え、
前記ロック機構（３０）は、
前記スプール（２１）から径方向外側に突出した突出部（３１）と、
先端が径方向内側に屈曲して形成されると共に、前記プランジャ（１５）が非ロック時に駆動する第１制御領域よりも前記第１方向側の第２制御領域まで駆動された際に径方向外側に開かれて、前記スプール（２１）の前記第１方向への移動を許容すると共に、閉じられた際に前記突出部（３１）の前記バルブ部側の端面（２１５）に当接して前記スプール（２１）の前記第２方向への移動を規制する第１爪部（３２１）と、
前記プランジャ（１５）が前記第２制御領域よりも前記第１方向側の第３制御領域まで駆動されることによって、前記第１爪部（３２１）と前記突出部（３１）の前記バルブ部側の端面（２１５）との当接が解除されるように前記第１爪部（３２１）を径方向外側に開いた状態にし、前記第１爪部（３２１）と前記突出部（３１）の前記バルブ部側の端面（２１５）との当接が解除された状態を、前記付勢部材（２４）の付勢力により前記スプール（２１）が非ロック時の移動範囲内に戻るまで保持する解除機構（３２２，３３）と、を備えたことを特徴とする。
【０００８】
また、前記解除機構（３２２，３３）は、
前記第１爪部（３２１）に対して軸方向位置が異なるように固定されると共に、先端が径方向内側に屈曲して形成された第２爪部（３２２）と、
前記プランジャ（１５）と前記スプール（２１）との間に配設され、これらプランジャ（１５）及びスプール（２１）の端面と当接して軸方向に移動可能な軸部材（１６）に摺動可能に設けられ、前記プランジャ（１５）が前記第３制御領域まで駆動されることにより前記第２爪部（３２２）と係合して前記第１爪部（３２１）を径方向外側に開いた状態に保持し、この状態で前記軸部材（１６）と摺動することで前記付勢部材（２４）の付勢力により前記スプール（２１）を前記第２方向側に移動可能にし、前記非ロック時の移動範囲内に前記スプール（２１）が入ると前記軸部材（１６）と一体に移動して前記第２爪部（３２２）との係合が解除される摺動部材と、を有すると好適である。
【０００９】
更に、前記突出部（３１）は、前記スプール（２１）の前記ソレノイド部（１０）側の端部に形成され、前記第２方向に向かって径が大きくなるように傾斜したテーパ面（３１１）と、前記スプール（２１）の前記ソレノイド部（１０）側の端面（２１５）とを有し、
前記第１爪部（３２１）は、閉じられた際に、このスプール（２１）の前記ソレノイド部（１０）側の端面（２１５）と当接すると好適である。
【００１０】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１１】
請求項１に係る発明によると、第１爪部をスプールの突出部が第１方向に移動して来る際には開き、第２方向に移動してくる際には当接するように構成している。このため、プランジャを非ロック時に駆動する第１制御領域よりも第１方向側の第２制御領域まで駆動させて、スプールの突出部をソレノイド部側からバルブ部側へと移動させると、第１爪部と突出部のバルブ部側の端面との当接によりスプールの第２方向への移動を規制することができる。これにより、上記第１爪部と突出部のバルブ部側の端面との引っ掛りと付勢部材からの第２方向への付勢力とによって、ソレノイド部に電流を供給せずともスプールを軸方向所定の位置にロックすることが可能となる。従って、定常状態の際にスプールを軸方向所定の位置に維持したい場合には、第１爪部によりスプールをロックしてリニアソレノイドバルブの消費電力を低減することができる。また、第１爪部と突出部のバルブ部側の端面との当接は、プランジャを第２制御領域よりも第１方向側の第３制御領域まで駆動することによって解除機構により解除することができる。従って、リニアソレノイドバルブは、非ロック時の第１制御範囲よりも第１方向側へとプランジャを移動させることによって、第１爪部を開閉させる簡単な構造によりスプールの位置をロック及び解除する事ができる。また、上記第１爪部を開閉するために専用の駆動源を必要ともしない。
【００１２】
請求項２に係る発明によると、解除機構を第１爪部に固定された第２爪部と、プランジャとスプールとの間に配設された軸部材に対して摺動する摺動部材とを備えて解除機構を構成している。このため、プランジャを第３制御領域まで駆動させて第２爪部と摺動部材とを係合させることにより、第１爪部を径方向外側に開いて突出部のバルブ部側の端面との当接を解除することができる。また、摺動部材は軸部材に対して摺動可能であるため、これにより付勢部材の付勢力によってスプール及び軸部材が第２方向に移動したとしても、スプールが非ロック時の移動範囲に入るまで第２爪部と係合して、第１爪部が開いた状態を保持することができる。
【００１３】
請求項３に係る発明によると、突出部がスプールのソレノイド部側の端部において第２方向に向かって径が大きくなるように傾斜したテーパ面を有しているため、このテーパ面に沿って第１爪部を径方向外側に向かって開かせることができる。また、突出部をスプールのソレノイド部側の端部に形成したことにより、第１爪部をスプールのソレノイド部側の端面と当接させることができる。
【図面の簡単な説明】
【００１４】
【図１】本発明の第１の実施の形態に係るリニアソレノイドバルブを示す模式図であって、（ａ）は非通電時の状態を示す図、（ｂ）は最大出力時の状態を示す図。
【図２】図１のリニアソレノイドバルブのスプール位置をロックするロック動作を説明する図であって、（ａ）は第１爪部と突出部との当接開始時の状態を示す図、（ｂ）は第１爪部が突出部を乗り越える際の状態を示す図、（ｃ）はスプール位置のロックが完了した状態を示す図。
【図３】図２のスプール位置のロックを解除する解除動作を説明する図であって、（ａ）は第２爪部と摺動部材とが係合して第１爪部が開いた状態を示す図、（ｂ）は第２爪部と摺動部材との係合を保持したままスプール及び軸部材が第２方向へと移動する状態を示す図、（ｃ）はスプール位置のロックが解除された状態を示す図。
【図４】本発明の第２の実施の形態に係るリニアソレノイドバルブを示す模式図。
【発明を実施するための形態】
【００１５】
＜第１の実施の形態＞
以下、本発明の第１の実施の形態に係るリニアソレノイドバルブ１１について図１乃至図３に沿って説明をする。リニアソレノイドバルブ１１は、自動変速機に搭載された摩擦係合要素の油圧サーボに作動油圧を直接供給するダイレクトリニアソレノイドバルブであり、図１（ａ）に示すように非通電時には、非出力状態となるノーマルクローズ型のリニアソレノイドバルブである。
【００１６】
具体的には、このリニアソレノイドバルブ１１は、図１に示すように、供給される電力に応じてプランジャ１５を駆動するソレノイド部１０と、スプール２１の移動によって各ポートの開口量を調節可能なバルブ部２０１と、スプール２１の位置をロック可能なロック機構３０とを備えて構成されている。
【００１７】
ソレノイド部１０は、ヨークとしての機能を有するケース（以下、「ヨーク」という）１１と、このヨーク１１内部に配設されたボビン１２１に巻回されたコイル１２と、バルブ部２０１側にてヨーク１１に固定されると共にこのバルブ部２０１側からコイル１２の内周面に沿って延設される第１コア１３と、円筒状に形成されていると共にコイル１２の内周面に沿って第１コア１３の端部との間に所定の間隔を存するように延設された第２コア１４と、この第２コア１４の中空部１４１に嵌挿されている上記プランジャ１５と、ステンレススチール等の非磁性金属製の軸部材１６と、を備えている。
【００１８】
第１コア１３は、第２コア１４と対向するソレノイド部１０側の端面に軸方向に凹んだ凹部１３１を形成していると共に、その中心には、凹部１３１が形成された端面とは反対側の端面から上記凹部１３１に亘って貫通した貫通孔１３２が形成されている。上記凹部１３１は、第２コア１４の中空部１４１と軸心を一致させて形成されており、プランジャ１５がこの第２コア１４の中空部１４１及び第１コアの凹部１３１内を摺動可能なように構成されている。また、貫通孔１３２には、凹部１３１とは反対側の端面から上記軸部材１６が嵌挿されており、これにより、軸部材１６のソレノイド部１０側の端部が凹部１３１内でプランジャ１５の端部と接触すると共に、このプランジャ１５により軸部材１６を押圧可能となっている。
【００１９】
更に、ソレノイド部１０の外周には、コイル１２に電気を供給するターミナル１７が設けられている。上記ヨーク１１、第１及び第２コア１３，１４、プランジャ１５は、純度の高い鉄などの強磁性体によって形成されていると共に、第１及び第２コア１３，１４との間の隙間は非磁性体として機能するため、コイル１２に電気が供給されるとヨーク１１、第２コア１４、プランジャ１５、第１コア１３の順番に磁束が流れる磁束回路が形成される。この磁束回路が形成されると、軸方向に移動可能なプランジャ１５が固定された第１コア１３に向かって吸着され、このプランジャ１５に第１方向（ソレノイド部１０側からバルブ部２０１側へ向かう方向）への駆動力が生じる。
【００２０】
一方、バルブ部２０１は、入力ポートＰｉｎ、出力ポートＰｏｕｔ、排出ポートＰｅｘ、フィードバックポートＰｆｂなどの各種ポートが形成されたスリーブ２２と、このスリーブ２２の中空部２２１内に嵌挿される上記スプール２１と、スリーブ２２の先端部に取り付けられたエンドプレート２３とこのエンドプレート２３と対向するスプール２１の端部と間に縮設されたスプリング（付勢部材）２４とを有している。
【００２１】
スリーブ２２は、図１において、バルブ部２０１側からソレノイド部１０側に向かって軸方向に、フィードバックポートＰｆｂ、入力ポートＰｉｎ、出力ポートＰｏｕｔ、排出ポートＰｅｘの順番でポートが並ぶように形成されている。また、このスリーブ２２は、エンドプレート２３が設けられたのとは反対側の端部にてソレノイド部１０と連結している。このため、上記ソレノイド部１０の軸部材１６は、軸方向においてプランジャ１５とスプール２１との間に位置することとなると共に、スプール２１のソレノイド部１０側の端面２１５及びプランジャ１５のバルブ部２０１側の端面のそれぞれと当接して軸方向に移動可能となっている。
【００２２】
また、スプール２１は、上記入力ポートＰｉｎの近傍に配設される第１ランド部２１１と、排出ポートＰｅｘの近傍に配設される第２ランド部２１２と、フィードバックポートＰｆｂの近傍に配設される第３ランド部２１３と、第３ランド部２１３に対抗して配置されこの第３ランド部２１３よりも小径な第４ランド部２１４とを有している。
【００２３】
スプール２１には、軸部材１６を介して伝達されるプランジャ１５からの第１方向への駆動力が働くと共に、スプリング２４の付勢力及び第３及び第４ランド部２１３，２１４の径差によって生じる軸方向の力がこの第１方向とは反対の第２方向へと作用する。このため、スプール２１は、これら第１方向及び第２方向に作用する軸方向の力が釣り合った位置で停止する。従って、ソレノイド部１０が非通電状態の場合、プランジャ１５からの第１方向の駆動力は生じないため、スプール２１の位置はスプリング２４の付勢力により図１（ａ）のように第２方向側の端部まで移動した位置となり、第１ランド部２１１により入力ポートＰｉｎが遮断されると共に出力ポートＰｏｕｔと排出ポートＰｅｘとが連通される。
【００２４】
一方、ソレノイド部１０に電気が供給されると、スプール２１はプランジャ１５からの駆動力により第１方向側へと移動して、入力ポートＰｉｎを開口させる。すると入力ポートＰｉｎと出力ポートＰｏｕｔとが連通し、摩擦係合要素の油圧サーボへと作動油圧が出力ポートＰｏｕｔから出力される。
【００２５】
なお、図１（ｂ）のスプール２１の位置にて出力ポートＰｏｕｔからは最大圧の作動油圧が出力される。従って、非ロック時においては、スプール２１は、通常、図１（ａ）に示す位置と図１（ｂ）に示す位置との間で軸方向に移動される。また、フィードバックポートＰｆｂと連通するフィードバック油室には、オリフィス２１８が穿設されており、フィードバックポートＰｆｂに作動油圧が直接入力されたとしても、フィードバック油室内のフィードバック油圧は作動油圧よりも低くなる。
【００２６】
ついで、ロック機構３０の構成について図２及び図３に基づいて説明をする。ロック機構３０は、スプール２１から径方向外側に突出した突出部３１と、第１及び第２爪部３２１，３２２を有する爪部材３２と、軸部材１６に摺動可能に設けられた摺動部材３３とを備えて構成されている。
【００２７】
上記突出部３１は、スプール２１のソレノイド部１０側の端部に形成されており、このソレノイド部１０側の端部にて第２方向に向かって径が大きくなるように傾斜したテーパ面３１１と、スプール２１のソレノイド部１０側の端面２１５とを有して構成されている。
【００２８】
また、爪部材３２は、ソレノイド部１０に対して固定されて設けられていると共に、上記第１及び第２爪部３２１，３２２がスプール２１のソレノイド部１０側の端部に向かって延設されている。より詳しくは、第１爪部３２１は、その先端が非ロック時において上記突出部３１よりもバルブ部２０１側に位置するように第１方向に向かって延設されていると共に、この先端部が径方向内側に屈曲して形成されている。そして、この内径側に屈曲形成された先端部により爪部分を周方向複数箇所に形成している。
【００２９】
更に、第２爪部３２２も同様にその先端部が径方向内側に屈曲して形成されて爪部分を周方向複数箇所に形成していると共に、この第２爪部３２２は上記第１爪部３２１に対して固定されている。また、この第２爪部３２２は、爪部分の位置が第１爪部３２１よりもソレノイド部１０側に位置するように、第１爪部３２１に対して軸方向位置が異なるように固定されている。このため、非ロック時においては、この第２爪部３２２の爪部分は、突出部３１よりもソレノイド部１０側に位置するように構成されている。即ち、本実施の形態においては、これら第１爪部３２１と第２爪部３２２の爪部分との間を突出部３１が移動する範囲が、スプール２１の非ロック時における移動範囲となっている。
【００３０】
また、摺動部材３３は、上述したように軸部材１６に摺動可能に設けられていると共に、その摺動範囲のソレノイド部１０側の限界が軸部材１６から径方向外側に延設されたフランジ部３５によって規定されていると共に、摺動範囲のバルブ部２０１側の限界が軸部材１６のバルブ部２０１側の端部に取り付けられたスナップリング３６によって規定されている。
【００３１】
ついで、上記ロック機構３０によるスプール２１の軸方向位置のロック動作及びその解除動作について図２及び図３に基づいて説明をする。摩擦係合要素の係合時など出力ポートＰｏｕｔから最大圧の作動油圧を一定時間、出力し続けたい場合、リニアソレノイドバルブ１１は、ターミナル１７からソレノイド部１０に電力が供給されて、プランジャ１５が非ロック時に駆動する第１制御領域よりも第１方向側の第２制御領域（例えば図２（ｃ）の位置）まで駆動させられる。
【００３２】
すると、図２（ａ）に示すように、スプール２１が第１方向へと移動すると共に、突出部３１のテーパ面３１１と第１爪部３２１が当接し、このスプール２１の第１方向の動きに沿って図２（ｂ）に示すように径方向外側に向かってを開きながらこのテーパ面３１１を第１爪部３２１が登って行く。即ち、第１爪部３２１は、プランジャ１５が第２制御領域まで駆動されると、上記テーパ面３１１の傾斜により径方向外側に開かれて、スプール２１の第１方向側への移動を許容する。
【００３３】
そして、上記図２（ｂ）の状態から更に第１方向へとスプール２１が移動して行くと、図２（ｃ）に示すように第１爪部３２１が上記突出部３１を乗り越える。すると、この突出部３１のテーパ面３１１と当接することにより開いていた第１爪部３２１は、その弾性によって内径側へと向かって閉じる。第１爪部３２１が閉じると、スプール２１がスプリング２４の付勢力によって第２方向側へと移動しようとしても、この第１爪部３２１がスプール２１のソレノイド部１０側の端面（突出部３１のバルブ部２０１側の端面）２１５と当接して引っ掛り、スプール２１の第２方向への移動が第１爪部３２１によって規制される。
【００３４】
この時、スプール２１は、上記第１爪部３２１と突出部３１のバルブ部２０１側の端面２１５との当接と、スプリング２４及びフィードバック圧からの第２方向への押し圧力とによって図２（ｃ）の位置にロックされている。このため、リニアソレノイドバルブ１１は、ソレノイド部１０が非通電状態にされ、これにより、スプール２１の軸方向位置のロックが完了する。
【００３５】
一方、スプール２１の軸方向位置のロックを解除する場合、ソレノイド部１０にロック時よりも大きな電流が供給されて、プランジャ１５が第２制御領域よりも第１方向側の第３制御領域（例えば、図３（ａ）の位置）まで駆動される。すると、図３（ａ）に示すように、フランジ部３５と当接して軸部材１６と一体となって第１方向へと移動する摺動部材３３と第２爪部３２２とが係合する。これら摺動部材３３と第２爪部３２２とが係合すると、第２爪部３２２は第１爪部３２１よりも爪部材３２の基部側に位置しているため、第１爪部３２１が第２爪部３２２よりも大きく径方向外側に開くこととなる。即ち、第２爪部３２２と摺動部材３３とが係合することによって、第１爪部３２１は、突出部３１との引っ掛り（バルブ部２０１側の端面２１５との当接）が解除されるように、径方向外側に開いた状態となってその状態が保持される。
【００３６】
そして第２爪部３２２と摺動部材３３とが係合すると、ソレノイド部１０への電力の供給がストップされ、スプリング２４の付勢力及びフィードバック圧による第２方向への押し圧力によって、図３（ｂ）に示すように、スプール２１、軸部材１６及びプランジャ１５が一体となって第２方向へと移動される。この時、摺動部材３３は、軸部材１６と摺動するため、軸部材１６のみが第２方向へと移動して行き、第２爪部３２２との係合は保持される。
【００３７】
これにより、第１爪部３２１と突出部３１との引っ掛りが解除された状態で、スプール２１は、第２方向へと移動することができ、図３（ｃ）に示すように、非ロック時の移動範囲内へと戻ることができる。なお、図３（ｂ）のスプール２１が非ロック時の移動範囲内に入る際に、摺動部材３３はスナップリング３６と当接して軸部材１６と一体に第２方向へと移動して行くため、第２爪部３２２との係合は解除され、第１爪部３２１は内径方向へとその弾性で閉じることができるようになる。
【００３８】
上述したように、本実施の形態に係るリニアソレノイドバルブ１１は、第１爪部３２１をスプール２１の突出部３１が第１方向側から移動して来る際には開き、第２方向側から移動してくる際には引っ掛るように構成している。このため、プランジャ１５を非ロック時に駆動する第１制御領域よりも第１方向側の第２制御領域まで駆動させて、スプール２１の突出部３１をソレノイド部１０側からバルブ部２０１側へと移動させると、第１爪部３２１と突出部３１との引っ掛かりによりスプール２１の第２方向への移動を規制することができる。従って、上記第１爪部３２１と突出部３１との引っ掛りとスプリング２４からの第２方向への付勢力とによって、ソレノイド部１０に電流を供給せずともスプール２１の軸方向位置を所定の位置にロックすることが可能となるため、リニアソレノイドバルブ１１の消費電力を低減することができる。
【００３９】
また、第１爪部３２１に固定された第２爪部３２２と軸部材１６に摺動可能設けられた摺動部材３３とを用いた簡単な構成によって、第１爪部３２１と突出部３１との引っ掛りが解除されるように第１爪部３２１を径方向外側に開いた状態にし、この第１爪部３２１と突出部３１との引っ掛りが解除された状態を、スプリング（付勢部材）２４の付勢力によりスプール２１が非ロック時の移動範囲内に戻るまで保持する解除機構を構成することができる。
【００４０】
即ち、プランジャ１５が第３制御領域まで駆動させて第２爪部３２２と摺動部材３３とを係合させることにより、第１爪部３２１を径方向外側に開いて突出部３１との引っ掛りを解除することができる。また、摺動部材３３は軸部材１６に対して摺動可能であるため、スプリング２４の付勢力によってスプール２１及び軸部材１６が第２方向に移動したとしても、スプール２１が非ロック時の移動範囲に入るまで第２爪部３２２と係合して、第１爪部３２１が開いた状態を保持することができる。
【００４１】
このように、リニアソレノイドバルブ１１は、非ロック時の第１制御範囲よりも第１方向側へとプランジャ１５を移動させることによって、第１爪部３２１を開閉させる簡単な構造によりスプール２１の位置をロック及び解除する事が可能となる。また、上記第１爪部３２１を開閉するために専用の駆動源を必要ともしない。
【００４２】
＜第２の実施の形態＞
ついで、本発明の第２の実施の形態に係るリニアソレノイドバルブについて図４に基づいて説明をする。第２の実施の形態のリニアソレノイドバルブは、第１の実施の形態のリニアソレノイドバルブが、ノーマルクローズ型のリニアソレノイドバルブであったのに対して、非通電時に出力ポートから油圧を出力するノーマルオープン型のリニアソレノイドバルブである点についてのみ第１の実施の形態と相違している。そのため、以下の説明では、構成の異なるバルブ部の構成についてのみ説明し、その他の説明は省略する。
【００４３】
図４に示すように、第２の実施の形態のリニアソレノイドバルブ１２のバルブ部２０２は、スリーブ２２にバルブ部２０２側からソレノイド部１０側に向かって軸方向に排出ポートＰｅｘ、出力ポートＰｏｕｔ、入力ポートＰｉｎ、フィードバックポートＰｆｂの順でポートが形成されている。
【００４４】
このため、ソレノイド部１０が非通電状態の場合、入力ポートＰｉｎと出力ポートＰｏｕｔとが連通し、摩擦係合要素の油圧サーボへと作動圧が出力ポートＰｏｕｔから出力される。また、ソレノイド部１０に電気が供給されると、スプール２１はプランジャ１５からの駆動力により第１方向側へと移動して、入力ポートＰｉｎを第１ランド部２１１で遮断すると共に、出力ポートＰｏｕｔと排出ポートＰｅｘとを連通させる方向に移動することとなる。
【００４５】
従って、ロック機構３０によってスプール２１の位置を第１方向側に移動させて軸方向所定位置にロックした場合、入力ポートＰｉｎを遮断して出力ポートＰｏｕｔから作動油が出力されない状態を維持することができる。
【００４６】
なお、上述の実施の形態においては、摺動部材３３及び第２爪部３２２によって解除機構を構成したが、例えば、第１爪部３２１の内径側への閉じ速度を遅くするダンパ機構などによっても上記解除機構は構成することができる。また、スプール２１を第１方向とは反対の第２方向に向かって付勢する付勢部材としてスプリング２４を用いたが、これに限らずどのような付勢部材を用いても良い。
【符号の説明】
【００４７】
１１、１２：リニアソレノイドバルブ、１０：ソレノイド部、１５：プランジャ、１６：軸部材、２０１，２０２：バルブ部、２１：スプール、２２：スリーブ、２４：付勢部材（スプリング）、３０：ロック機構、３１：突出部、３３：摺動部材，解除機構、２１５：端面、３２１：第１爪部、３２２：第２爪部，解除機構、Ｐｉｎ：入力ポート、Ｐｏｕｔ：出力ポート、Ｐｅｘ：排出ポート
【図１】
2014199098.tif 000003
【図２】
2014199098.tif 000004
【図３】
2014199098.tif 000005
【図４】
2014199098.tif 000006